(57)【特許請求の範囲】
【請求項１】
上下方向に設置される枠状のフレームと、
該フレームの上部に設置されるか又は該フレームの上部を構成している上部ヘッダーと、
該フレームの下部に設置されるか又は該フレームの下部を構成している下部ヘッダーと、
該上部ヘッダーと下部ヘッダーとの間に架設された合成樹脂製の複数の放熱管とを有するパネルラジエータにおいて、
該放熱管が挿通された挿通孔を有し、該上部ヘッダーと下部ヘッダーとの間に配置され、該フレームに支持された透明又は半透明のスルーパネルが設けられており、
少なくとも一部の前記放熱管の外面が着色されており、
該フレームの縦材の上端同士の間に上部アングルが架設され、
該上部ヘッダーは該上部アングルよりも所定距離下方に位置し、該上部ヘッダーは該上部アングルに対しバネによって吊支され、
該フレームの縦材は、長手方向に延在した溝部を有しており、
該バネが該溝部に収容されていることを特徴とするパネルラジエータ。
【請求項２】
請求項１において、
前記スルーパネルの上端部から上部ヘッダーまでを覆う上部カバーと、
前記スルーパネルの下端部から下部ヘッダーまでを覆う下部カバーとを備えたことを特徴とするパネルラジエータ。
【請求項３】
請求項１又は２において、前記スルーパネルの側辺部が前記フレームの縦材の溝部に係合していることを特徴とするパネルラジエータ。
【請求項４】
請求項１ないし３のいずれか１項において、前記放熱管は、無彩色又は有彩色の顔料を含む着色層を表層に有することを特徴とするパネルラジエータ。
【請求項５】
請求項１ないし４のいずれか１項において、色彩の異なる前記放熱管が設けられていることを特徴とするパネルラジエータ。
【発明の詳細な説明】
【技術分野】
【０００１】
本発明は、パネルラジエータに係り、特に壁暖房用のパネルラジエータに関する。
【背景技術】
【０００２】
室内に据え置くパネルラジエーターは、従来、金属製であり、暖房運転時には、表面温度が80℃近くになるため、危険であった。また、外観上の制約により、カバー等により内部のパイプ等を隠蔽する必要があった、それでも美観上、十分なものがデザインできる構造とはなっていなかった。また、タオルウオーマー等の浴室に設置する暖房器具の場合も同様に金属製であり、しかもパイプがむき出しとなるため、パイプを着色したとしても、やはり外観上、十分なものがデザインできる構造とはなっていなかった。また、かかる構成は、パイプによるタオルへの加熱を目的とするのみであり、主暖房として使用できる構成としては不十分であった。また、樹脂製のパネルの実用化されているが、軽量化ができるとの利点があるものの、デザイン性については、金属製と同様、十分なものが提案されるに至っていない。
【０００３】
壁暖房用のパネルラジエータとして、上部横パイプと下部横パイプとの間に多数の放熱用の合成樹脂製縦パイプを架設したものが、特開２００９−２２２２９７号公報に記載されている。同号公報のパネルラジエータでは、横パイプの両端がパネルラジエータ（同号公報では放熱器）の側枠に固定されている。同号公報には、放熱用縦パイプを２色押出成形し、その表層を顔料入りの着色層とすることが記載されている（００２０，００３０段落）。
【先行技術文献】
【特許文献】
【０００４】
【特許文献１】特開２００９−２２２２９７号公報
【発明の概要】
【発明が解決しようとする課題】
【０００５】
本発明は、軽量であり、かつインテリアとしての使用が可能であり、また暖房器具としても、主暖房として使用しうる性能及び安全性に優れた、従来にないパネルラジエータを提供することを目的とする。
【課題を解決するための手段】
【０００６】
請求項１のパネルラジエータは、上下方向に設置される枠状のフレームと、該フレームの上部に設置されるか又は該フレームの上部を構成している上部ヘッダーと、該フレームの下部に設置されるか又は該フレームの下部を構成している下部ヘッダーと、該上部ヘッダーと下部ヘッダーとの間に架設された合成樹脂製の複数の放熱管とを有するパネルラジエータにおいて、該放熱管が挿通された挿通孔を有し、該上部ヘッダーと下部ヘッダーとの間に配置され、該フレームに支持された透明又は半透明のスルーパネルが設けられており、少なくとも一部の前記放熱管の外面が着色されており、該フレームの縦材の上端同士の間に上部アングルが架設され、該上部ヘッダーは該上部アングルよりも所定距離下方に位置し、該上部ヘッダーは該上部アングルに対しバネによって吊支され、該フレームの縦材は、長手方向に延在した溝部を有しており、該バネが該溝部に収容されていることを特徴とするものである。
【０００７】
請求項２のパネルラジエータは、請求項１において、パネルラジエータは、前記スルーパネルの上端部から上部ヘッダーまでを覆う上部カバーと、前記スルーパネルの下端部から下部ヘッダーまでを覆う下部カバーとを備えたことを特徴とするものである。
【０００８】
請求項３のパネルラジエータは、請求項１又は２において、前記スルーパネルの側辺部が前記フレームの縦材の溝部に係合していることを特徴とするものである。
【０００９】
請求項４のパネルラジエータは、請求項１ないし３のいずれか１項において、前記放熱管は、無彩色又は有彩色の顔料を含む着色層を表層に有することを特徴とするものである。
【００１０】
請求項５のパネルラジエータは、請求項１ないし４のいずれか１項において、色彩の異なる前記放熱管が設けられていることを特徴とするものである。
【発明の効果】
【００１１】
本発明のパネルラジエータは、透明又は半透明のスルーパネルを有し、このスルーパネルの挿通孔内に放熱管が挿通され、かつ少なくとも一部の放熱管が着色された外面のものとなっているので、独得の美観が得られる。各放熱管がスルーパネル内に配置されているので、放熱管に直に汚れが付着せず、清掃が容易である。また、このスルーパネルが透明又は半透明であるので、放熱管から輻射される赤外線及び遠赤外線の透過率が高くなり、暖房効率が向上する。
【００１２】
このパネルラジエータは、壁に沿った位置だけでなく、壁から離隔した位置に間仕切り状に設置することもできる。パネルラジエータを間仕切り状に設置した場合には、パネルラジエータユニットの両側の部屋を暖房することができる。
【００１３】
放熱管の外面に顔料を含んだ表層を設けることにより外面を着色した放熱管は、放熱管の表層以外を顔料不含有の合成樹脂にて構成することにより、耐久性に優れたものとなる。
【図面の簡単な説明】
【００１４】
【図１】カバーを装着した状態のパネルラジエータ及びその設置構造を示す斜視図である。
【図２】カバーを取り外した状態におけるパネルラジエータ及びその設置構造を示す斜視図である。
【図３】温水通水停止時における、カバーを取り外した状態のパネルラジエータの構成を示す、下方から見上げた状態の斜視図である。
【図４】温水通水時における、カバーを取り外した状態のパネルラジエータの構成を示す、下方から見上げた状態の斜視図である。
【図５】（ａ）図は縦材の水平断面図、（ｂ）図は縦材の斜視図である。
【図６】（ａ）図は図１のVI−VI線に沿う断面図、（ｂ）図はスルーパネルの断面図である。
【図７】図３のVII−VII線断面図である。
【図８】下部ヘッダーと縦材との取り付け方法を示す分解斜視図である。
【図９】（ａ）図は、縦材とアジャスターボルトとの係合関係を示す斜視図、（ｂ）図は同縦断面図である。
【図１０】（ａ）図はカバーの斜視図、（ｂ）図はカバーの平面図である。
【図１１】図１０のXI−XI線断面図である。
【図１２】図１０のXII−XII線断面図である。
【図１３】カバーの分解斜視図である。
【図１４】サイドカバーの斜視図である。
【図１５】パネルカバーの斜視図である。
【図１６】（ａ）図はカバーの組み付け状況を示す水平断面図、（ｂ）図は図１のXVI−XVI線断面図である。
【発明を実施するための形態】
【００１５】
以下、図面を参照して実施の形態について説明する。
【００１６】
第１図の通り、床１と天井２との間にパネルラジエータ３が立設されている。このパネルラジエータ３は、第２図〜第４図に示される通り、長方形枠状のフレーム４と、該フレーム４の上部に設置された上部ヘッダー５と、フレーム４の下部に設置された下部ヘッダー６と、該上部ヘッダー５と下部ヘッダー６との間に架設された放熱管７と、フレーム４の上部及び下部から突設されたアジャスターボルト８と、上部ヘッダー５をフレーム４の上部アングル４Ｂに吊支しているバネ（この実施の形態ではコイルバネ）１０と、放熱管７が挿通された透明又は半透明のスルーパネル２０等を備えている。
【００１７】
放熱管７は、この実施の形態では表面が無彩色又は有彩色に着色された着色合成樹脂管よりなり、スルーパネル２０に挿通され、上部ヘッダー５及び下部ヘッダー６に接続されている。
【００１８】
本発明において、着色合成樹脂管としては、２層構造の架橋ポリエチレンを用い、表層に着色顔料を所定量配合して構成することが好ましい。架橋ポリエチレンを単独で用いた場合、着色顔料が、パイプの全体に分散されることになるが、一般的に架橋ポリエチレンにおいて、着色顔料は、耐候性を阻害するものであるから、着色性と耐候性の両立が必要である。
【００１９】
本発明においては、架橋ポリエチレンとしては、シラン架橋ポリエチレン等を用い、表層の厚みを管壁の厚み（肉厚）の１０〜２０％の範囲とするのが好ましく、内層の厚みを管壁の厚み（肉厚）の８０〜９０％の範囲とするのが好ましい。
【００２０】
着色顔料は、表層の架橋ポリエチレン中に、５〜１０重量％ほど添加するのが好ましい。
【００２１】
本願発明における着色顔料としては、青、赤、緑又はこれらの中間色などの有彩色を用いることにより、独特の美観が醸し出される。さらに詳細には、一般的なデザイン分類に従い、顧客のニーズ、室内の配色との組合せを考慮し、色彩イメージとしての分類として、プリティ、ロマンティック、クリアー、ウォームカジュアル、ナチュラル、クールカジュアル、エレガント、ダイナミック、ゴージャス、ワイルド、クラシック、ダンディ、シック、モダンなどに従って、顔料を選択することができる。
【００２２】
これらの具体的な配色の例としては、例えばイメージとしてプリティとする場合は、暖色系を使い、やや黄味がかった白を入れたり、ペールトーン、ライトトーン、ブライトトーンの赤、オレンジ、黄色、黄緑色を使用する。ロマンティックとする場合は、ペールトーンを主体としてオフホワイトを使用する。
【００２３】
クリアーとする場合は、寒色系とし、ペールトーン、ライトトーン、ブライトトーンの青みの緑、青緑、青、青紫などを使用する。
【００２４】
ナチュラルとする場合は、ライトグレイッシュトーンやソフトトーンを用い、ベージュや緑を使用する。
【００２５】
エレガントとする場合は、ライトグレイッシュトーン、グレイッシュトーン、ソフトトーン、ダルトーンなどを用い、赤、赤紫、紫、青紫などを用いたり、場合よっては、グレイ、ベージュなどを追加することができる。
【００２６】
シックとする場合は、寒色系を中心に、グレイ系やベージュ系を追加するのが好ましい。トーンとしては、ライトグレイッシュ、グレイッシュ、ソフト、ダルなどである。
【００２７】
ウォームカジュアルの場合は、黄色味を主体として用い、ビビットトーンを中心とするのが好ましい。場合によっては、ブライトやストロングトーンを使用することもできる。
【００２８】
クールカジュアルとしては、白や青を中心とするが、場合によっては黒や紺も用いられる。使用トーンはビビットトーンが好ましい。
【００２９】
ダイナミックの場合は、黒、赤、ゴールドなどが主体となり、ゴージャスの場合は、ディープトーンを中心とし、ワイルドの場合は、ダーク、ディープ、ダルの三つのトーンを用い、緑、オレンジ、黄色などを用いることが好ましい。
【００３０】
クラシックの場合は、暖色系を用い、トーンとしては、ディープ、ダーク、ダークグレイッシュなどを用いることが好ましい。
【００３１】
ダンディの場合は、カーキ、オリーブ、グリーン、暗灰色、黒、インク紺などでイメージを作るのが好ましい。モダンの場合は、黒、シルバーなどを用いることができる。
【００３２】
一般論としては、白味を増やせば、クリアーなイメージが得られ、低彩度色でまとめればシックなイメージが得られ、ブラウン系を用いれば、トラディッショナルとなり、黒やダークグレーを基調とすれば、ニュートラルなモダンなイメージとなり、ベージュやライトブラウンにより、ナチュラルなイメージが得られる。
【００３３】
これらの色の好みは、地域における日照度時間の相違により異なる傾向が見られる。これらは、明度と彩度でグループ化されたトーンにおける相違となることがある。ここで、トーンとは、ペールトーン、ライトトーン、ライトグレイッシュトーン、ソフトトーン、ブライトトーン、ストロングトーン、ビビットトーン、グレイッシュトーン、ダルトーン、ダークグレイッシュトーン、ダークトーン、ディープトーンなどの種類を意味する。
【００３４】
例えば、日照時間が月に２００時間を越える海側の地域、日本の太平洋側などでは、クリアーな色が好まれ、トーンとしては、ペール、ライト、ブライト、ビビット、ダークグレイッシュ、ディープ、白、黒などが挙げられる。
【００３５】
一方、日照時間がつきに２００時間に満たない雨、曇りが多い地域、日本の日本海側などでは、濁色が好まれることがある。トーンとしては、ライトグレイッシュ、グレイッシュ、ソフト、ダル、灰色、カラードグレースと呼ばれる赤や青などの色味を帯びた灰色などである。
【００３６】
本発明においては、これらのカラー樹脂管よりなる放熱管を細径とすることにより、厚みを薄くすることができ、設置の自由度を高めることができる。カラー樹脂管よりなる放熱管の内径は好ましくは４〜７ｍｍ特に５〜６ｍｍであり、外径は好ましくは５．５〜１０ｍｍ特に７〜８．４ｍｍである。
【００３７】
また、カラー樹脂管よりなる放熱管の配置ピッチは、美観との兼ね合いで自由に設定できるが、好ましくは１６〜２６ｍｍ特に２０〜２３ｍｍである。
【００３８】
放熱管７が挿通されたスルーパネル２０は、ポリカーボネート等の透明又は半透明な合成樹脂よりなる。このスルーパネル２０は、第６図（ｂ）及び第１２図（ａ）の通り、平行な１対の主板面２１，２１と、該主板面２１，２１同士を接続するリブ部２２とを有したハーモニカ形断面形状となっており、隣接するリブ部２２同士の間が放熱管７の挿通孔２３となっている。リブ部２２は主板面２１と垂直である。挿通孔２３は、縦材４Ａと平行方向に延在する。挿通孔２３は、方形断面形状である。
【００３９】
スルーパネル２０を半透明とする場合、スルーパネル２０を構成する樹脂それ自体を半透明としてもよく、スルーパネル２０の表面に曇りガラス状の紋様を形成して半透明としたものであってもよい。スルーパネルの肉厚は、前記のカラー樹脂管の内径、外径にもよるが、前記の透明度を考慮して、好ましくは０．５〜１ｍｍ特に０．５〜０．７ｍｍとすることが好ましい。
【００４０】
フレーム４は、好ましくはアルミ等の軽金属よりなるものであり、１対の縦材４Ａ，４Ａと、該縦材４Ａ，４Ａの上端同士の間に架設された上部アングル４Ｂと、縦材４Ａ，４Ａの下端同士の間に架設された下部ヘッダー６とにより、長方形の縦長枠状とされている。
【００４１】
この縦材４Ａの水平断面形状について、第５図を参照して説明する。この縦材４Ａはアルミ等の押出材よりなる略々円筒状であるが、外周面の４等分位置（第５図（ａ）の上、右、下、左）に溝部４ａ，４ｂ，４ｃ，４ｄが設けられている。溝部４ａ〜４ｄ間の筒状体外周部は、円弧状部４ｅとなっている。溝部４ｂ，４ｄは、第６図（ａ）のようにパネルラジエータ３のパネル面方向に対峙しており、該溝部４ｂ，４ｄの一方にスルーパネル２０の側縁が係合する。溝部４ａ，４ｃは、パネル厚み方向に対峙している。該溝部４ａ，４ｃの入口側、すなわち、縦材４Ａの外周面側の両縁部には、この外周面を延長した形状の張出片４ｆ，４ｆが設けられている。
【００４２】
この張出片４ｆ，４ｆを利用してタオルハンガーなどの付属品を取付けることができる。
【００４３】
第５図において、各溝部４ａ〜４ｄの内周面側から、縦材４Ａの求心方向に（すなわち、軸心位置に向かって）リブ４ｇ，４ｈ，４ｉ，４ｊが突設されている。各リブ４ｇ〜４ｊの突出方向の先端は、縦材４Ａの軸心かつ等半径に位置している。リブ４ｇ〜４ｊの先端で囲まれるスペースが第９図（ｂ）のアジャスターボルト８の挿入スペース４ｓである。第９図の通り、アジャスターボルト８の先端を該スペース４ｓに挿入し、アジャスターボルト８の途中のナット８Ｎと縦材４Ａの端面との間に圧縮コイルバネ８Ｓが介在される。
【００４４】
溝４ａ，４ｂと円弧状部４ｅとの間、溝４ｂ，４ｃと円弧状部４ｅとの間、溝４ｃ，４ｄと円弧状部４ｅとの間、溝４ｄ，４ａと円弧状部４ｅとの間が、それぞれビスの挿入スペース４ｔとなっている。このスペース４ｔにビスをねじ込むことにより、上部アングル４Ｂと下部ヘッダー６がそれぞれ縦材４Ａ，４Ａの上端及び下端に連結固定される。
【００４５】
下部ヘッダー６の取付構造を第８図に示す。なお第８図は、この取付状況を示す下方から見上げた斜視図である。下部ヘッダー６の長手方向の両端から突片６ｔが突設され、この突片６ｔのビス挿通孔６ｈにテクスビス６ｇが挿通され、スペース４ｔにねじ込まれる。これにより、下部ヘッダー６が縦材４Ａ，４Ａの下端に固定されている。図示は省略するが、縦材４Ａ，４Ａの上端に対して上部アングル４Ｂの両端が同様にビス留めされる。
【００４６】
第２図〜第４図の通り、下部ヘッダー６には、床１の開口１１を通過した温水循環配管１２，１３の一端が接続されている。この配管１２，１３はポリブテン、架橋ポリエチレン等の合成樹脂よりなり、その他端はボイラや分岐ヘッダー（図示略）に接続されている。配管１２からの温水は、下部ヘッダー６の図の右半側に流入し、それに連なる放熱管７を上昇し、上部ヘッダー５で反転し、図の左半側の放熱管７を流れ、下部ヘッダー６の図の左半側を経て配管１３からボイラ等に戻る。
【００４７】
第３図及び第４図に明示される通り、上部ヘッダー５は、上部アングル４Ｂよりも所定距離下方に位置しており、上部ヘッダー５と上部アングル４Ｂとの間には、所定の間隙があいている。この上部アングル４Ｂに対し上部ヘッダー５がコイルバネ１０によって吊り支えられており、温水を放熱管７に通水して放熱管７が熱膨張により伸長したときの伸びを吸収するように構成されている。第７図の通り、フレーム４の縦材４Ａの上端部の溝部４ｂ又は４ｄに対し、バネ１０の約半分が配置され、溝部４ｂ又は４ｄに沿って上下方向に伸縮可能とされている。
【００４８】
図示は省略するが、前記上部ヘッダー５には、下面側にタケノコ形（すなわち、先細状のテーパ部が多段に連設された形状）のノズル状の接続部が突設されている。放熱管７の上端をこの接続部に差し込み、バンドを外嵌させて締め付け、抜け止めする。また、各放熱管７の下端にジョイントが装着され、このジョイントが下部ヘッダー６のユニオン継手部に差し込まれ、クリップによって連結される。
【００４９】
パネルラジエータ３を床１と天井２との間に間仕切り状に立設するには、ヘッダー５，６、スルーパネル２０、放熱管７、アジャスターボルト８及びコイルバネ１０を備えたフレーム４を部屋のパネルラジエータ設置予定位置にて起立させる。なお、下側のアジャスターボルト８と床１との間、及び上側のアジャスターボルト８と天井２との間には、ゴム、合成樹脂等よりなる固定座９又はパッキンを介在させるのが好ましい。次いで、パネルラジエータ３が鉛直となるように支えた状態で、アジャスターボルト８のナット８Ｎを回して縦材４Ａからの突出長さを増大させ、パネルラジエータ３を床１と天井２との間で突っ張らせて固定する。
【００５０】
次いで、温水循環配管１２，１３を下部ヘッダー６に接続する。その後、フレーム４の上部にカバー１６を取り付け、フレーム４の下部にカバー１７を取り付け、各ヘッダー５，６を隠蔽する。
【００５１】
次に、上部カバー１６及び下部カバー１７の構成について説明する。これらのカバー１６，１７は同一構造のものであり、使用状態が上向きであるか下向きであるかにおいてのみ相違するので、下部カバー１７について説明する。
【００５２】
第１０〜１６図の通り、カバー１７は１対のサイドカバー３０，３０と１対のパネルカバー４０，４０とからなる４パーツの組み合せ方式のものである。
【００５３】
サイドカバー３０は、半円筒形状部３１と、この半円筒形状部３１の内周面のうち円弧方向の中間部において上下方向に延設された２条のリブ３２，３２と、半円筒形状部３１の長手方向に延在する一方の端面に設けられた凸条部３３と、他方の端面に設けられた凹条部３４とを有する。
【００５４】
パネルカバー４０は、縦材４Ａ，４Ａ間に跨がる幅を有した長方形のパネル部４１と、該パネル部４１の上辺から張り出す張出部４２と、パネル部４１の左右の側辺部に沿ってそれぞれ上下方向に延設されたリブ部４３とを有する。張出部４２の長手方向の両端側は四分円弧状の湾曲部４２ａとなっている。この湾曲部４２ａは、縦材４Ａの円弧状部４ｅに係合する形状及び大きさとなっている。パネル部４１の一方の端面には凹条部４４が設けられ、他方の端面には凸条部４５が設けられている。なお、パネル部４１に、その剛性を高めるために適宜のリブを設けてもよい。
【００５５】
カバー１７をパネルラジエータ３に装着するには、パネルカバー４０をパネルラジエータ３の正面側において縦材４Ａ，４Ａに跨がるように配置し、湾曲部４２ａを縦材４Ａの円弧状部４ｅに係合させると共に、リブ部４３を縦材４Ａの溝部４ｃに係合させる。パネルラジエータの反対側においても、パネルカバー４０を縦材４Ａ，４Ａ間に跨がるように同様に配置し、リブ部４３を縦材４Ａの溝部４ａに係合させる。次いで、サイドカバー３０を各縦材４Ａの外面に重ね合わせ、凸条部３３をパネルカバー４０の凹条部４４に係合させ、凹条部３４をパネルカバー４０の凸条部４３に係合させ、さらに、リブ部３２を縦材４Ａの溝部４ｂ又は４ｄに係合させる。サイドカバー３０は、縦材４Ａの外面のうちパネル面方向の外向きの半周面を覆う。
【００５６】
カバー１６は、カバー１７を上下逆にすること以外は同様にしてパネルラジエータ３に装着される。
【００５７】
第１図の通り、上部カバー１６は天井２からスルーパネル２０の上端部付近までを覆い、下部カバー１７は床１からスルーパネル２０の下端部付近までを覆う。パネルカバー４０に張出部４２が設けられており、この張出部４２がスルーパネル２０に当接するか又は近接することにより、カバー１６，１７内が隠蔽される。
【００５８】
このように構成されたパネルラジエータ３にあっては、ヘッダー５，６がカバー１６，１７で隠蔽され、また、放熱管７が透明又は半透明のスルーパネル２０で覆われるので、美観に優れる。この放熱管７の少なくとも一部を、外面が青、赤、緑又はこれらの中間色などの有彩色もしくは白、黒、グレーなどの無彩色となっているカラー放熱管とすることにより、独得の美観が醸し出される。並列する放熱管７の色を異ならせることによりカラフルな美観を得るようにしてもよい。
【００５９】
このパネルラジエータ３の放熱管７に温水を循環通水することにより、熱がパネルラジエータ３の両面から輻射される。スルーパネル２０が透明又は半透明であるので、放熱管７からの遠赤外線が効率よく部屋内に放射される。
【００６０】
温水を通水することにより、第４図のように放熱管７が熱膨張して伸長し、また温水通水を停止すると、第３図のように放熱管７が縮んで短くなるが、この放熱管７の伸縮はバネ１０によって吸収される。この実施の形態では、上部ヘッダー５の両端を吊支するバネ１０がそれぞれ溝４ｂ，ｄに収容されているので、上部ヘッダー５の揺れ動きが防止される。
【００６１】
この実施の形態では、下部ヘッダー６が固定状態となっているので、下部ヘッダー６と温水循環配管１２，１３との接続部に放熱管７の熱膨張による応力が負荷されず、この接続部の耐久性が良好である。
【００６２】
既設のパネルラジエータ３のヘッダー５，６のメンテナンス等を行う場合には、サイドカバー３０をパネルカバー４０から離反させることにより、カバー１６，１７を容易に取り外すことができる。
【００６３】
上記実施の形態は本発明の一例であり、本発明は図示以外の態様とされてもよい。例えば、放熱管７の本数は図示以外でもよい。上部ヘッダー５を縦材４Ａ，４Ａ間に架設し、下部ヘッダー６を上下動可能にバネによって支えてもよい。
【００６４】
なお、特に本発明を限定するものではないが、前記バネ１０としては、線径１ｍｍのピアノ線を直径（外径）８．６ｍｍに巻回したものであって、４０ｍｍ変形（伸長）時の引張荷重が５ｋｇｆであるものを用いることができる。
【００６５】
本発明のパネルラジエータは壁に沿って立設されてもよい。
【符号の説明】
【００６６】
１  床
２  天井
３  パネルラジエータ
４  フレーム
４Ａ  縦材
４ａ〜４ｄ  溝部
４ｅ  円弧状部
４ｆ  張出片
４ｇ〜４ｊ  リブ
４ｓ  アジャスターボルトの挿入用スペース
４ｔ  ビスの挿入用スペース
４Ｂ  上部アングル
５  上部ヘッダー
５ａ  ノズル状接続部
６  下部ヘッダー
６ａ  ユニオン継手部
６ｆ  フランジ部
６ｈ  ビス挿通孔
６ｔ  突片
７  放熱管
８  アジャスターボルト
１０  バネ
１２，１３  温水循環配管  
１６  上部カバー
１７  下部カバー
２０  スルーパネル
２３  放熱管の挿通孔
３０  サイドカバー
４０  パネルカバー
【図１】
0005648383.tif 000002
【図２】
0005648383.tif 000003
【図３】
0005648383.tif 000004
【図４】
0005648383.tif 000005
【図５】
0005648383.tif 000006
【図６】
0005648383.tif 000007
【図７】
0005648383.tif 000008
【図８】
0005648383.tif 000009
【図９】
0005648383.tif 000010
【図１０】
0005648383.tif 000011
【図１１】
0005648383.tif 000012
【図１２】
0005648383.tif 000013
【図１３】
0005648383.tif 000014
【図１４】
0005648383.tif 000015
【図１５】
0005648383.tif 000016
【図１６】
0005648383.tif 000017